【手続補正書】
【提出日】平成19年11月17日(2007.11.17)
【手続補正１】
【補正対象書類名】特許請求の範囲
【補正対象項目名】全文
【補正方法】変更
【補正の内容】
【特許請求の範囲】
【請求項１】
燃料サプライと、燃料電池により電力供給を受ける電子機器とに使用される燃料ゲージおいて、上記燃料ゲージは、電気回路により読み出し可能な特性を有し、上記特性は上記燃料サプライに残っている燃料の量に関連することを特徴とする燃料ゲージ。
【請求項２】
上記燃料ゲージは上記燃料サプライがどのような方向性であっても動作する請求項１記載の燃料ゲージ。
【請求項３】
上記特性は２つのノードの間の電気容量であり、第１のノードは、上記燃料が上記燃料サプライから取り出されるのに応じて変移する位置に配置される請求項１記載の燃料ゲージ。
【請求項４】
上記特性は２つの極の間の磁力であり、第１の極は、上記燃料が上記燃料サプライから取り出されるのに応じて変移する位置に配置される請求項１記載の燃料ゲージ。
【請求項５】
第２のノードは上記燃料電池の表面、または、上記電子機器の表面に配置される請求項３または４記載の燃料ゲージ。
【請求項６】
上記第１のノードは上記燃料を内包するライナーの表面または内部に配置され、上記ライナーは上記燃料サプライの内部に配置される請求項３または４記載の燃料ゲージ。
【請求項７】
上記燃料ゲージに関連づけられたホールゲージが上記磁力から電圧を生成し、上記電圧を上記電子回路で読み出し可能にする請求項４記載の燃料ゲージ。
【請求項８】
上記特性は半導体抵抗器の抵抗値である請求項１記載の燃料ゲージ。
【請求項９】
上記半導体抵抗器はサーミスタを有する請求項８記載の燃料ゲージ。
【請求項１０】
上記特性はバイメタル抵抗器の抵抗値である請求項１記載の燃料ゲージ。
【請求項１１】
上記バイメタル抵抗器はサーモカップルである請求項１０記載の燃料ゲージ。
【請求項１２】
上記サーミスタは、上記燃料に近接して配置され、上記燃料サプライの内部にあって上記燃料を内包するライナーに近接して配置され、または、上記燃料の内部に配置される請求項８、９、１０、または１１記載の燃料ゲージ。
【請求項１３】
上記電気回路は上記サーミスタに電流を供給し、残留燃料を検出する請求項８、９、１０、または１１記載の燃料ゲージ。
【請求項１４】
上記電流は間欠的、または連続して供給される請求項１３記載の燃料ゲージ。
【請求項１５】
上記電気回路は上記燃料電池中、または上記電子機器中に配置される請求項１記載の燃料ゲージ。
【請求項１６】
上記燃料サプライは、使い捨てカートリッジ、再充填可能カートリッジ、再利用可能カートリッジ、上記電子機器内にあるカートリッジ、上記電子機器の外部にあるカートリッジ、燃料タンク、燃料再充填タンクおよび燃料コンテナからなるグループから選択される請求項１記載の燃料ゲージ。
【請求項１７】
上記特性は誘導センサにより生成される交番磁界である請求項１記載の燃料ゲージ。
【請求項１８】
上記交番磁界は電気導電体が上記磁界に入ると交番し、請求項１記載の上記交番磁界の変化が残留燃料の量に関連づけられる請求項１７記載の燃料ゲージ。
【請求項１９】
上記誘導センサは上記燃料電池または上記電子機器の表面に配置され、上記電気導電体が、上記燃料が取り出されるときに変化する位置に配置される請求項１８記載の燃料ゲージ。
【請求項２０】
上記燃料ゲージに関連づけられたホールゲージが上記交番磁界から電圧を生成し、上記電圧を上記電子回路で読み出し可能にする請求項１７記載の燃料ゲージ。
【請求項２１】
燃料サプライと、燃料電池により電力供給を受ける電子機器とに使用される燃料ゲージおいて、上記燃料ゲージは、
上記燃料電池または上記電子機器に関連づけられた第２のセンサから距離を置いて離間された、上記燃料カートリッジに関連づけられた第１のセンサを有し、上記距離が上記燃料カートリッジ中の燃料レベルに応じて変化し、上記燃料カートリッジ中の残留燃料を表し、かつ、上記第１のセンサおよび第２のセンサが電気回路により読み出し可能な特性を有することを特徴とする燃料ゲージ。
【請求項２２】
燃料サプライと、燃料電池により電力供給を受ける電子機器とに使用される燃料ゲージおいて、上記燃料ゲージは、電気回路により読み出し可能な電気抵抗を有し、上記電気抵抗は上記燃料サプライに残っている燃料の量に関連することを特徴とする燃料ゲージ。
【手続補正２】
【補正対象書類名】明細書
【補正対象項目名】００４６
【補正方法】変更
【補正の内容】
【００４６】
添付図面は明細書の一部を形成し、明細書との関連において理解されるべきであり、種々の図において類似の参照番号は類似の部分を示すために用いられる。添付図面は以下の通りである。
なお、以下に、上述実施例の技術的な特徴を列挙する。
［技術的特徴１］
燃料サプライと、燃料電池により電力供給を受ける電子機器とに使用される燃料ゲージおいて、上記燃料ゲージは、電気回路により読み出し可能な特性を有し、上記特性は上記燃料サプライに残っている燃料の量に関連することを特徴とする燃料ゲージ。
［技術的特徴２］
上記燃料ゲージは上記燃料サプライがどのような方向性であっても動作する技術的特徴１記載の燃料ゲージ。
［技術的特徴３］
上記特性は２つのノードの間の電気容量であり、第１のノードは、上記燃料が上記燃料サプライから取り出されるのに応じて変移する位置に配置される技術的特徴１記載の燃料ゲージ。
［技術的特徴４］
第２のノードは上記燃料電池の表面に配置される技術的特徴３記載の燃料ゲージ。
［技術的特徴５］
第２のノードは上記電子機器の表面に配置される技術的特徴３記載の燃料ゲージ。
［技術的特徴６］
上記第１のノードは上記燃料を内包するライナーの表面または内部に配置され、上記ライナーは上記燃料サプライの内部に配置される技術的特徴３記載の燃料ゲージ。
［技術的特徴７］
上記特性は２つの極の間の磁力であり、第１の極は、上記燃料が上記燃料サプライから取り出されるのに応じて変移する位置に配置される技術的特徴１記載の燃料ゲージ。
［技術的特徴８］
第２の極は上記燃料電池の表面に配置される技術的特徴７記載の燃料ゲージ。
［技術的特徴９］
第２の極は上記電子機器の表面に配置される技術的特徴１記載の燃料ゲージ。
［技術的特徴１０］
上記第１の極は上記燃料を内包するライナーの表面または内部に配置され、上記ライナーは上記燃料サプライの内部に配置される技術的特徴７記載の燃料ゲージ。
［技術的特徴１１］
上記燃料ゲージに関連づけられたホールゲージが上記磁力から電圧を生成し、上記電圧を上記電子回路で読み出し可能にする技術的特徴７記載の燃料ゲージ。
［技術的特徴１２］
上記特性は半導体抵抗器の抵抗値である技術的特徴１記載の燃料ゲージ。
［技術的特徴１３］
上記半導体抵抗器はサーミスタを有する技術的特徴１２記載の燃料ゲージ。
［技術的特徴１４］
上記サーミスタは上記燃料に近接して配置される技術的特徴１３記載の燃料ゲージ。
［技術的特徴１５］
上記サーミスタは上記燃料を内包するライナーに近接して配置され、上記ライナーは上記燃料サプライの内部にある技術的特徴１４記載の燃料ゲージ。
［技術的特徴１６］
上記サーミスタは上記燃料の内部に配置される技術的特徴１３記載の燃料ゲージ。
［技術的特徴１７］
上記電気回路は上記サーミスタに電流を供給し、残留燃料を検出する技術的特徴１３記載の燃料ゲージ。
［技術的特徴１８］
上記電流は間欠的に供給される技術的特徴１７記載の燃料ゲージ。
［技術的特徴１９］
上記電流は連続して供給される技術的特徴１７記載の燃料ゲージ。
［技術的特徴２０］
上記特性はバイメタル抵抗器の抵抗値である技術的特徴１７記載の燃料ゲージ。
［技術的特徴２１］
上記バイメタル抵抗器はサーモカップルである技術的特徴２０記載の燃料ゲージ。
［技術的特徴２２］
上記サーモカップルは上記燃料に隣接して配置される技術的特徴２１記載の燃料ゲージ。
［技術的特徴２３］
上記サーモカップルは上記燃料を内包するライナーに近接して配置され、上記ライナーは上記燃料サプライの内部にある技術的特徴２２記載の燃料ゲージ。
［技術的特徴２４］
上記サーモカップルは上記燃料の内部に配置される技術的特徴２１記載の燃料ゲージ。
［技術的特徴２５］
上記電気回路は上記サーモカップルに電流を供給し、残留燃料を検出する技術的特徴２１記載の燃料ゲージ。
［技術的特徴２６］
上記電流は間欠的に供給される技術的特徴２５記載の燃料ゲージ。
［技術的特徴２７］
上記電流は連続して供給される技術的特徴２６記載の燃料ゲージ。
［技術的特徴２８］
上記電気回路は上記燃料電池中に配置される技術的特徴１記載の燃料ゲージ。
［技術的特徴２９］
上記電気回路は上記電子機器中に配置される技術的特徴１記載の燃料ゲージ。
［技術的特徴３０］
上記燃料サプライは燃料カートリッジである技術的特徴１記載の燃料ゲージ。
［技術的特徴３１］
上記燃料サプライは、使い捨てカートリッジ、再充填可能カートリッジ、再利用可能カートリッジ、上記電子機器内にあるカートリッジ、上記電子機器の外部にあるカートリッジ、燃料タンク、燃料再充填タンクおよび燃料コンテナからなるグループから選択される技術的特徴１記載の燃料ゲージ。
［技術的特徴３２］
上記特性は誘導センサにより生成される交番磁界である技術的特徴１記載の燃料ゲージ。
［技術的特徴３３］
上記交番磁界は電気導電体が上記磁界に入ると交番し、技術的特徴１記載の上記交番磁界の変化が残留燃料の量に関連づけられる技術的特徴２２記載の燃料ゲージ。
［技術的特徴３４］
上記誘導センサは上記燃料電池または上記電子機器の表面に配置され、上記電気導電体が、上記燃料が取り出されるときに変化する位置に配置される技術的特徴３３記載の燃料ゲージ。
［技術的特徴３５］
上記燃料ゲージに関連づけられたホールゲージが上記交番磁界から電圧を生成し、上記電圧を上記電子回路で読み出し可能にする技術的特徴３２記載の燃料ゲージ。
［技術的特徴３６］
燃料サプライと、燃料電池により電力供給を受ける電子機器とに使用される燃料ゲージおいて、上記燃料ゲージは、
上記燃料電池または上記電子機器に関連づけられた第２のセンサから距離を置いて離間された、上記燃料カートリッジに関連づけられた第１のセンサを有し、上記距離が上記燃料カートリッジ中の燃料レベルに応じて変化し、上記燃料カートリッジ中の残留燃料を表し、かつ、上記第１のセンサおよび第２のセンサが電気回路により読み出し可能な特性を有することを特徴とする燃料ゲージ。
［技術的特徴３７］
磁界が上記センサの間に形成される技術的特徴３６記載の燃料ゲージ。
［技術的特徴３８］
電気容量が上記センサの間に形成される技術的特徴３６記載の燃料ゲージ。
［技術的特徴３９］
上記第１のセンサは上記サプライ内の燃料ライナーに近接して配置される技術的特徴３６記載の燃料ゲージ。
［技術的特徴４０］
上記第１のセンサは上記燃料ライナーの表面に配置される技術的特徴３９記載の燃料ゲージ。
［技術的特徴４１］
上記第１のセンサは、上記カートリッジ内の燃料ライナーに圧力を加えるバネの近傍に配置される技術的特徴３６記載の燃料ゲージ。
［技術的特徴４２］
上記第１のセンサは上記バネに接して配置される技術的特徴３６記載の燃料ゲージ。
［技術的特徴４３］
上記第２のセンサは上記燃料電池の内部または上記電子機器の内部に配置される技術的特徴１記載の燃料ゲージ。
［技術的特徴４４］
上記バネは金属バネを含む技術的特徴４１記載の燃料ゲージ。
［技術的特徴４５］
樹機バネは発泡体を含む技術的特徴４１記載の燃料ゲージ。
［技術的特徴４６］
上記第２のセンサは上記燃料サプライに接したまたはその内部に配置される技術的特徴３６記載の燃料ゲージ。
［技術的特徴４７］
上記電気回路は上記燃料電池の内部または上記電子機器の内部に配置される技術的特徴３６記載の燃料ゲージ。
［技術的特徴４８］
燃料サプライと、燃料電池により電力供給を受ける電子機器とに使用される燃料ゲージおいて、上記燃料ゲージは、電気回路により読み出し可能な電気抵抗を有し、上記電気抵抗は上記燃料サプライに残っている燃料の量に関連することを特徴とする燃料ゲージ。
［技術的特徴４９］
上記電気抵抗は半導体抵抗器に由来する抵抗である技術的特徴４８記載の燃料ゲージ。
［技術的特徴５０］
上記半導体抵抗器はサーミスタである技術的特徴４９記載の燃料ゲージ。
［技術的特徴５１］
上記電気抵抗はバイメタル抵抗器に由来する抵抗である技術的特徴４８記載の燃料ゲージ。
［技術的特徴５２］
上記バイメタル抵抗器はサーモカップルである技術的特徴５１記載の燃料ゲージ。